(57)【要約】  本願の実施例は、シグナリングオーバーヘッドを効果的に低減することができる情報伝送方法、ネットワークデバイス及び端末デバイスを開示する。この方法は、ネットワークデバイスが現在の時間情報及び／又は端末デバイスの位置する位置情報に基づいて、前記端末デバイスに対応する目標ポリシーを決定することと、前記ネットワークデバイスが前記端末デバイスに前記目標ポリシーを送信することとを含む。
2021510044.tif 000002
【特許請求の範囲】
【請求項１】
ネットワークデバイスが現在の時間情報及び／又は端末デバイスの位置する位置情報に基づいて、前記端末デバイスに対応する目標ポリシーを決定することと、
前記ネットワークデバイスが前記端末デバイスに前記目標ポリシーを送信することとを含む
ことを特徴とする情報伝送方法。
【請求項２】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項１に記載の情報伝送方法。
【請求項３】
前記目標ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項１又は２に記載の情報伝送方法。
【請求項４】
前記目標ポリシーは、前記ＷＬＡＮＳＰ内の少なくとも１つの規則及び／又は前記ＵＲＳＰ内の少なくとも１つの規則を含む
ことを特徴とする請求項３に記載の情報伝送方法。
【請求項５】
前記ネットワークデバイスがポリシー制御機能（ＰＣＦ）エンティティであり、前記方法は、さらに、
前記ネットワークデバイスがアクセスとモビリティ管理機能（ＡＭＦ）から前記端末デバイスの位置情報を取得することを含む
ことを特徴とする請求項１〜４のいずれか１項に記載の情報伝送方法。
【請求項６】
前記方法は、さらに、
前記端末デバイスの位置情報が変更された場合、前記ネットワークデバイスが前記端末デバイスの変更された位置情報に基づいて、更新された目標ポリシーを決定し、前記更新された目標ポリシーを前記端末デバイスに送信することを含む
ことを特徴とする請求項１〜５のいずれか１項に記載の情報伝送方法。
【請求項７】
前記目標ポリシーは、前記端末デバイスがネットワーク選択を行い、又はプロトコルデータユニット（ＰＤＵ）セッションを確立するパラメータを示す
ことを特徴とする請求項１〜６のいずれか１項に記載の情報伝送方法。
【請求項８】
前記ネットワークデバイスが現在の時間情報及び／又は端末デバイスの位置する位置情報に基づいて、前記端末デバイスに対応する目標ポリシーを決定することは、
前記ネットワークデバイスが現在の時間情報及び／又は端末デバイスの位置する位置情報及び対応関係に基づいて、前記端末デバイスに対応する目標ポリシーを決定することを含む
ことを特徴とする請求項１〜７のいずれか１項に記載の情報伝送方法。
【請求項９】
前記対応関係は、端末デバイスの位置する位置情報とポリシーとの第１の対応関係、又は、時間情報とポリシーとの第２の対応関係、又は、時間情報及び端末デバイスの位置する位置情報とポリシーとの第３の対応関係である
ことを特徴とする請求項８に記載の情報伝送方法。
【請求項１０】
ネットワークデバイスが複数のポリシーを決定することと、
前記ネットワークデバイスが端末デバイスに前記複数のポリシーを送信することとを含み、
前記各ポリシーが特定の時間情報及び／又は特定の位置情報に対応する
ことを特徴とする情報伝送方法。
【請求項１１】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項１０に記載の情報伝送方法。
【請求項１２】
前記各ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項１０又は１１に記載の情報伝送方法。
【請求項１３】
前記各ポリシーは、前記ＷＬＡＮＳＰ内の少なくとも１つの規則及び／又は前記ＵＲＳＰ内の少なくとも１つの規則を含む
ことを特徴とする請求項１２に記載の情報伝送方法。
【請求項１４】
前記各ポリシーは、前記端末デバイスがネットワーク選択を行い、又はプロトコルデータユニット（ＰＤＵ）セッションを確立するパラメータを示す
ことを特徴とする請求項１０〜１３のいずれか１項に記載の情報伝送方法。
【請求項１５】
端末デバイスがネットワークデバイスにより送信された目標ポリシーを受信することと、
前記端末デバイスが前記目標ポリシーを現在使用されるポリシーとして決定することとを含み、
前記目標ポリシーは、前記ネットワークデバイスが現在の時間情報及び／又は前記端末デバイスの位置する位置情報に基づいて決定するものである
ことを特徴とする情報伝送方法。
【請求項１６】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項１５に記載の情報伝送方法。
【請求項１７】
前記目標ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項１５又は１６に記載の情報伝送方法。
【請求項１８】
前記目標ポリシーは、前記ＷＬＡＮＳＰ内の少なくとも１つの規則及び／又は前記ＵＲＳＰ内の少なくとも１つの規則を含む
ことを特徴とする請求項１７に記載の情報伝送方法。
【請求項１９】
前記方法は、さらに、
前記端末デバイスが前記目標ポリシーに基づいてネットワーク選択を行い、又はＰＤＵセッションを確立することを含む
ことを特徴とする請求項１５〜１８のいずれか１項に記載の情報伝送方法。
【請求項２０】
前記方法は、さらに、
前記端末デバイスの位置情報が変更された場合、前記端末デバイスが前記ネットワークデバイスにより送信された、更新された目標ポリシーを受信することを含み、前記更新された目標ポリシーが前記端末デバイスの変更された位置情報に基づいて決定するものである
ことを特徴とする請求項１５〜１９のいずれか１項に記載の情報伝送方法。
【請求項２１】
端末デバイスがネットワークデバイスにより送信された複数のポリシーを受信することと、
前記端末デバイスが現在の時間情報及び／又は前記端末デバイスの位置する位置情報に基づいて、前記複数のポリシーから目標ポリシーを決定することとを含み、
前記各ポリシーが特定の時間情報及び／又は特定の位置情報に対応する
ことを特徴とする情報伝送方法。
【請求項２２】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項２１に記載の情報伝送方法。
【請求項２３】
前記各ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項２１又は２２に記載の情報伝送方法。
【請求項２４】
前記各ポリシーは、前記ＷＬＡＮＳＰ内の少なくとも１つの規則及び／又は前記ＵＲＳＰ内の少なくとも１つの規則を含む
ことを特徴とする請求項２３に記載の情報伝送方法。
【請求項２５】
前記複数のポリシーには現在の時間情報及び／又は位置情報に対するポリシーが含まれない場合、前記方法は、さらに、
前記端末デバイスがデフォルトポリシーを前記目標ポリシーとして決定すること、又は、
前記端末デバイスが前記ネットワークデバイスに要求メッセージを送信することを含み、前記要求メッセージが、現在の時間情報及び／又は位置情報に対するポリシーを取得するように要求する
ことを特徴とする請求項２１〜２４のいずれか１項に記載の情報伝送方法。
【請求項２６】
前記方法は、さらに、
前記端末デバイスが前記目標ポリシーに基づいてネットワーク選択を行い、又はＰＤＵセッションを確立することを含む
ことを特徴とする請求項２１〜２５のいずれか１項に記載の情報伝送方法。
【請求項２７】
決定モジュールと、通信モジュールとを備えるネットワークデバイスであって、
前記決定モジュールは、現在の時間情報及び／又は端末デバイスの位置する位置情報に基づいて、端末デバイスに対応する目標ポリシーを決定するように構成され、
前記通信モジュールは、前記端末デバイスに前記目標ポリシーを送信するように構成される
ことを特徴とするネットワークデバイス。
【請求項２８】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項２７に記載のネットワークデバイス。
【請求項２９】
前記目標ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項２７又は２８に記載のネットワークデバイス。
【請求項３０】
前記目標ポリシーは、前記ＷＬＡＮＳＰ内の少なくとも１つの規則及び／又は前記ＵＲＳＰ内の少なくとも１つの規則を含む
ことを特徴とする請求項２９に記載のネットワークデバイス。
【請求項３１】
前記ネットワークデバイスがポリシー制御機能（ＰＣＦ）エンティティであり、前記ネットワークデバイスは、さらに、取得モジュールを含み
前記取得モジュールは、アクセスとモビリティ管理機能（ＡＭＦ）から前記端末デバイスの位置情報を取得するように構成される
ことを特徴とする請求項２７〜３０のいずれか１項に記載のネットワークデバイス。
【請求項３２】
前記決定モジュールは、さらに、
前記端末デバイスの位置情報が変更される場合、前記端末デバイスの変更された位置情報に基づいて、更新された目標ポリシーを決定するように構成され、
前記通信モジュールは、さらに、
前記更新された目標ポリシーを前記端末デバイスに送信するように構成される
ことを特徴とする請求項２７〜３１のいずれか１項に記載のネットワークデバイス。
【請求項３３】
前記目標ポリシーは、前記端末デバイスがネットワーク選択を行い、又はプロトコルデータユニット（ＰＤＵ）セッションを確立するパラメータを示す
ことを特徴とする請求項２７〜３２のいずれか１項に記載のネットワークデバイス。
【請求項３４】
前記決定モジュールは、
現在の時間情報及び／又は端末デバイスの位置する位置情報及び対応関係に基づいて、前記端末デバイスに対応する目標ポリシーを決定するように構成される
ことを特徴とする請求項２７〜３３のいずれか１項に記載のネットワークデバイス。
【請求項３５】
前記対応関係は、端末デバイスの位置する位置情報とポリシーとの第１の対応関係、又は、時間情報とポリシーとの第２の対応関係、又は、時間情報及び端末デバイスの位置する位置情報とポリシーとの第３の対応関係である
ことを特徴とする請求項３４に記載のネットワークデバイス。
【請求項３６】
決定モジュールと、通信モジュールとを備えるネットワークデバイスであって、
前記決定モジュールは、複数のポリシーを決定するように構成され、前記各ポリシーが特定の時間情報及び／又は特定の位置情報に対応し、
前記通信モジュールは、前記端末デバイスに前記複数のポリシーを送信するように構成される
ことを特徴とするネットワークデバイス。
【請求項３７】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項３６に記載のネットワークデバイス。
【請求項３８】
前記各ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項３６又は３７に記載のネットワークデバイス。
【請求項３９】
前記各ポリシーは、前記ＷＬＡＮＳＰ内の少なくとも１つの規則及び／又は前記ＵＲＳＰ内の少なくとも１つの規則を含む
ことを特徴とする請求項３８に記載のネットワークデバイス。
【請求項４０】
前記各ポリシーは、前記端末デバイスがネットワーク選択を行い、又はプロトコルデータユニット（ＰＤＵ）セッションを確立するパラメータを示す
ことを特徴とする請求項３６〜３９のいずれか１項に記載のネットワークデバイス。
【請求項４１】
通信モジュールと、決定モジュールとを備える端末デバイスであって、
前記通信モジュールは、ネットワークデバイスにより送信された目標ポリシーを受信するように構成され、前記目標ポリシーは、前記ネットワークデバイスが現在の時間情報及び／又は前記端末デバイスの位置する位置情報に基づいて決定するものであり、
前記決定モジュールは、前記目標ポリシーを現在使用されるポリシーとして決定するように構成される
ことを特徴とする端末デバイス。
【請求項４２】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項４１に記載の端末デバイス。
【請求項４３】
前記目標ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項４１又は４２に記載の端末デバイス。
【請求項４４】
前記目標ポリシーは、前記ＷＬＡＮＳＰ内の少なくとも１つの規則及び／又は前記ＵＲＳＰ内の少なくとも１つの規則を含む
ことを特徴とする請求項４３に記載の端末デバイス。
【請求項４５】
前記端末デバイスは、さらに、実行モジュールを含み、
前記実行モジュールは、前記目標ポリシーに基づいてネットワーク選択を行い、又はＰＤＵセッションを確立するように構成される
ことを特徴とする請求項４１〜４４のいずれか１項に記載の端末デバイス。
【請求項４６】
前記通信モジュールは、さらに、
前記端末デバイスの位置情報が変更される場合、前記ネットワークデバイスにより送信された、更新された目標ポリシーを受信するように構成され、前記更新された目標ポリシーが前記端末デバイスの変更された位置情報に基づいて決定するものである
ことを特徴とする請求項４１〜４５のいずれか１項に記載の端末デバイス。
【請求項４７】
通信モジュールと、決定モジュールとを備える端末デバイスであって、
前記通信モジュールは、ネットワークデバイスにより送信された複数のポリシーを受信するように構成され、前記各ポリシーが特定の時間情報及び／又は特定の位置情報に対応し、
前記決定モジュールは、現在の時間情報及び／又は前記端末デバイスの位置する位置情報に基づいて、前記複数のポリシーから目標ポリシーを決定するように構成される
ことを特徴とする端末デバイス。
【請求項４８】
前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む
ことを特徴とする請求項４７に記載の端末デバイス。
【請求項４９】
前記各ポリシーは、無線ローカルエリアネットワーク選択ポリシー（ＷＬＡＮＳＰ）及び／又は端末デバイス経路選択ポリシー（ＵＲＳＰ）を含む
ことを特徴とする請求項４７又は４８に記載の端末デバイス。
【請求項５０】
前記各ポリシーは、前記ＷＬＡＮＳＰ内の少なくとも１つの規則及び／又は前記ＵＲＳＰ内の少なくとも１つの規則を含む
ことを特徴とする請求項４９に記載の端末デバイス。
【請求項５１】
前記複数のポリシーには現在の時間情報及び／又は位置情報に対するポリシーが含まれない場合、前記決定モジュールは、さらに、
デフォルトポリシーを前記目標ポリシーとして決定するように構成され、又は、
前記通信モジュールは、さらに、
前記ネットワークデバイスに要求メッセージを送信するように構成され、前記要求メッセージが、現在の時間情報及び／又は位置情報に対するポリシーを取得するように要求する
ことを特徴とする請求項４７〜５０のいずれか１項に記載の端末デバイス。
【請求項５２】
前記端末デバイスは、さらに、実行モジュールを含み、
前記実行モジュールは、前記目標ポリシーに基づいてネットワーク選択を行い又はＰＤＵセッションを確立するように構成される。
ことを特徴とする請求項４７〜５１のいずれか１項に記載の端末デバイス。
【発明の詳細な説明】
【技術分野】
【０００１】
本願の実施例は、通信分野に関し、具体的に、情報伝送方法、ネットワークデバイス及び端末デバイスに関する。
【背景技術】
【０００２】
第３世代パートナーシッププロジェクト( ３ ｒｄ Ｇｅｎｅｒａｔｉｏｎ Ｐａｒｔｎｅｒｓｈｉｐ Ｐｒｏｊｅｃｔ、３ ＧＰＰ ) Ｒｅｌ−１５には、端末デバイスポリシー( Ｕｓｅｒ Ｅｑｕｉｐｍｅｎｔ Ｐｏｌｉｃｙ、ＵＥ Ｐｏｌｉｃｙ )が導入され、端末デバイスがネットワーク選択及びプロトコルデータユニット( Ｐｒｏｔｏｃｏｌ Ｄａｔａ Ｕｎｉｔ、ＰＤＵ )を確立するのを支援するために用いられる。
【０００３】
ＵＥ Ｐｏｌｉｃｙは、ネットワークデバイスから端末デバイスに送信することも可能であるが、ネットワークの混雑やＵＥ Ｐｏｌｉｃｙのデータ量が多い場合に、端末デバイスのＵＥ Ｐｏｌｉｃｙの構成をどのように実現するかが課題となる。
【発明の概要】
【０００４】
本願は、送信ポリシーのデータ量を低減し、さらに、シグナリングオーバーヘッドを低減することができる情報伝送方法、ネットワークデバイス及び端末デバイスを提供する。
【０００５】
第１の態様は、情報伝送方法を提供し、
ネットワークデバイスが現在の時間情報及び／又は端末デバイスの位置する位置情報に基づいて、前記端末デバイスに対応する目標ポリシーを決定することと、
前記ネットワークデバイスが前記端末デバイスに前記目標ポリシーを送信することとを含む。
【０００６】
このように、本発明の実施例に係る情報伝送方法は、ネットワークデバイスが、現在時間及び端末デバイスが存在する位置の少なくとも一方に基づいて、端末デバイスが使用する目標ポリシーを決定することができるので、全てのポリシーを端末デバイスに送信する必要がなく、シグナリングオーバーヘッドを低減する上で有利である。
【０００７】
なお、本発明の実施例において、前記目標ポリシーは、ある時間範囲及び/又はあるエリアの範囲内の目標ポリシーであってもよく、現在時間が上記の時間範囲内にある場合、又は、現在位置が上記のエリア範囲内にある場合、端末デバイスは依然として目標ポリシーを使用してもよく、現在時間が目標ポリシーに対応する期間内にない場合、又は現在位置が目標ポリシーに対応するエリア範囲内にない場合、前記ネットワークデバイスが端末デバイスに対応するポリシーの調整又は更新をするようにトリガしてもよい。
【０００８】
第１の態様と結合し、第１の態様のある実行可能な方式において、前記位置情報は、
第３世代パートナーシッププロジェクト（３ＧＰＰ）に定義されるレポート存在エリアＰＲＡ、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む。
【０００９】
第１の態様と結合し、第１の態様のある実行可能な方式において、前記目標ポリシーは、無線ローカルエリアネットワーク選択ポリシー（ＷＬＡＮＳＰ）及び／又は端末デバイス経路選択ポリシー（ＵＲＳＰ）を含む。
【００１０】
第１の態様と結合し、第１の態様のある実行可能な方式において、前記目標ポリシーは、前記ＷＬＡＮＳＰ内の少なくとも１つの規則及び／又は前記ＵＲＳＰ内の少なくとも１つの規則を含む。
【００１１】
第１の態様と結合し、第１の態様のある実行可能な方式において、前記ネットワークデバイスがポリシー制御機能（ＰＣＦ）エンティティであり、前記方法は、さらに、
前記ネットワークデバイスがアクセスとモビリティ管理機能ＡＭＦから前記端末デバイスの位置情報を取得することを含む。
【００１２】
任意選択で、前記目標ポリシーが第１の時間範囲に対応し、前記方法は、さらに、
現在時間が前記第１の時間範囲にない場合、前記ネットワークデバイスは、現在の時間情報に基づいて、更新された目標ポリシーを決定し、前記更新された目標ポリシーを前記端末デバイスに送信することを含む。
【００１３】
すなわち、ネットワークデバイスは、端末デバイスに構成された目標ポリシーを経時変化に応じて調整又は更新できる。
【００１４】
第１の態様と結合し、第１の態様のある実行可能な方式において、前記方法は、さらに、
前記端末デバイスの位置情報が変更された場合、前記ネットワークデバイスが前記端末デバイスの変更された位置情報に基づいて、更新された目標ポリシーを決定し、前記更新された目標ポリシーを前記端末デバイスに送信することを含む。
【００１５】
すなわち、ネットワークデバイスは、端末デバイスに構成された目標ポリシーを端末デバイスの位置変化に応じて調整又は更新できる。
【００１６】
第１の態様と結合し、第１の態様のある実行可能な方式において、前記目標ポリシーは、前記端末デバイスがネットワーク選択を行い、又はプロトコルデータユニット（ＰＤＵ）セッションを確立するパラメータを示す。
【００１７】
第１の態様と結合し、第１の態様のある実行可能な方式において、前記ネットワークデバイスが現在の時間情報及び／又は端末デバイスの位置する位置情報に基づいて、前記端末デバイスに対応する目標ポリシーを決定することは、
前記ネットワークデバイスが現在の時間情報及び／又は端末デバイスの位置する位置情報及び対応関係に基づいて、前記端末デバイスに対応する目標ポリシーを決定することを含む。
【００１８】
任意選択で、前記対応関係は、テーブル形式やツリー形式などでもよく、予めネットワークデバイスに記憶させておいてもよいし、ネットワークデバイスが対応関係を調整してもよい。
【００１９】
例えば、前記対応関係は、端末デバイスの位置する位置情報とポリシーとの第１の対応関係、又は、時間情報とポリシーとの第２の対応関係、又は、時間情報及び端末デバイスの位置する位置情報とポリシーとの第３の対応関係である。
【００２０】
第２の態様は、情報伝送方法を提供し、
ネットワークデバイスが複数のポリシーを決定することと、
前記ネットワークデバイスが前記端末デバイスに前記複数のポリシーを送信することとを含み、
前記各ポリシーが特定の時間情報及び／又は特定の位置情報に対応する。
【００２１】
したがって、前記ネットワークデバイスは、異なる期間及び/又は異なる位置に応じて、異なるポリシーを決定し、次いで、決定された複数のポリシーを端末デバイスに送信することができ、それによって、端末デバイスは、現在の時間情報及び/又は現在の位置情報に応じて、どのポリシーを使用するかを決定する。
【００２２】
第２の態様と結合し、第２の態様のある実行可能な方式において、前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む。
【００２３】
第２の態様と結合し、第２の態様のある実行可能な方式において、前記各ポリシーは、無線ローカルエリアネットワーク選択ポリシー（ＷＬＡＮＳＰ）及び／又は端末デバイス経路選択ポリシー（ＵＲＳＰ）を含む。
【００２４】
第２の態様と結合し、第２の態様のある実行可能な方式において、前記各ポリシーは、前記ＷＬＡＮＳＰ内の少なくとも１つの規則及び／又は前記ＵＲＳＰ内の少なくとも１つの規則を含む。
【００２５】
第２の態様と結合し、第２の態様のある実行可能な方式において、前記各ポリシーは、前記端末デバイスがネットワーク選択を行い、又はプロトコルデータユニット（ＰＤＵ）セッションを確立するパラメータを示す。
【００２６】
第３の態様は、情報伝送方法を提供し、
端末デバイスがネットワークデバイスにより送信された目標ポリシーを受信することと、
前記端末デバイスが前記目標ポリシーに基づいてネットワーク選択を行い、又はＰＤＵセッションを確立することとを含み、
前記目標ポリシーは、前記ネットワークデバイスが現在の時間情報及び／又は前記端末デバイスの位置する位置情報に基づいて決定するものである。
【００２７】
第３の態様と結合し、第３の態様のある実行可能な方式において、前記位置情報は、
第３世代パートナーシッププロジェクト（３ＧＰＰ）に定義されるレポート存在エリアＰＲＡ、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む。
【００２８】
第３の態様と結合し、第３の態様のある実行可能な方式において、前記目標ポリシーは、無線ローカルエリアネットワーク選択ポリシー（ＷＬＡＮＳＰ）及び／又は端末デバイス経路選択ポリシー（ＵＲＳＰ）を含む。
【００２９】
第３の態様と結合し、第３の態様のある実行可能な方式において、前記目標ポリシーは、前記ＷＬＡＮＳＰ内の少なくとも１つの規則及び／又は前記ＵＲＳＰ内の少なくとも１つの規則を含む。
【００３０】
第３の態様と結合し、第３の態様のある実行可能な方式において、前記方法は、さらに、
前記端末デバイスの位置情報が変更された場合、前記端末デバイスが前記ネットワークデバイスにより送信された、更新された目標ポリシーを受信することを含み、前記更新された目標ポリシーが前記端末デバイスの変更された位置情報に基づいて決定するものである。
【００３１】
第４の態様は、情報伝送方法を提供し、
端末デバイスがネットワークデバイスにより送信された複数のポリシーを受信することと、前記端末デバイスが現在の時間情報及び／又は前記端末デバイスの位置する位置情報に基づいて、前記複数のポリシーから目標ポリシーを決定することと、前記端末デバイスが前記目標ポリシーに基づいてネットワーク選択を行い、又はＰＤＵセッションを確立することとを含み、前記各ポリシーが特定の時間情報及び／又は特定の位置情報に対応する。
【００３２】
第４の態様と結合し、第４の態様のある実行可能な方式において、前記位置情報は、
第３世代パートナーシッププロジェクト（３ＧＰＰ）に定義されるレポート存在エリア（ＰＲＡ）、少なくとも１つのトラッキングエリアアイデンティティ、少なくとも１つのレジストリエリアアイデンティティ、グローバルポジショニングシステム（ＧＰＳ）測位の地理位置情報のうちの少なくとも１つを含む。
【００３３】
第４の態様と結合し、第４の態様のある実行可能な方式において、前記各ポリシーは、無線ローカルエリアネットワーク選択ポリシー（ＷＬＡＮＳＰ）及び／又は端末デバイス経路選択ポリシー（ＵＲＳＰ）を含む。
【００３４】
第４の態様と結合し、第４の態様のある実行可能な方式において、前記各ポリシーは、前記ＷＬＡＮＳＰ内の少なくとも１つの規則及び／又は前記ＵＲＳＰ内の少なくとも１つの規則を含む。
【００３５】
第４の態様と結合し、第４の態様のある実行可能な方式において、前記複数のポリシーには現在の時間情報及び／又は位置情報に対するポリシーが含まれない場合、前記方法は、さらに、
前記端末デバイスがデフォルトポリシーを前記目標ポリシーとして決定すること、又は、
前記端末デバイスが前記ネットワークデバイスに要求メッセージを送信することを含み、前記要求メッセージが、現在の時間情報及び／又は位置情報に対するポリシーを取得するように要求する。
【００３６】
第５の態様は、上記の第１の態様または第１の態様の任意の可能な実装形態における方法を実行するため、または上記の第２の態様または第２の態様の任意の可能な実装形態における方法を実行するためのネットワークデバイスを提供する。具体的には、ネットワークデバイスは、上記の第１の態様または第１の態様の任意の可能な実装形態における方法を実行するためのユニットを備え、またはネットワークデバイスは、上記の第２の態様または第２の態様の任意の可能な実装形態における方法を実行するためのユニットを備える。
【００３７】
第６の態様は、メモリと、プロセッサと、入力インタフェースと、出力インタフェースとを備えるネットワークデバイスを提供する。ここで、メモリ、プロセッサ、入力インターフェース、出力インターフェースは、バスシステムを介して接続される。メモリは、命令を記憶するために使用され、プロセッサは、メモリに記憶された命令を実行し、第１の態様または第１の態様の可能な実施のいずれかにおける方法を実行し、または第２の態様の可能な実施のいずれかにおける方法を実行するために使用される。
【００３８】
第７の態様は、上記の第３の態様または第３の態様の任意の可能な実装態様における方法を実行するため、または上記の第４の態様または第４の態様の任意の可能な実装態様における方法を実行するための端末デバイスを提供する。具体的には、端末デバイスは、上記の第３の態様または第３の態様の任意の可能な実装形態における方法を実行するためのユニットを備え、または、端末デバイスは、上記の第４の態様または第４の態様の任意の可能な実装形態における方法を実行するためのユニットを備える。
【００３９】
第８の態様は、メモリと、プロセッサと、入力インタフェースと、出力インタフェースとを有する端末デバイスを提供する。ここで、メモリ、プロセッサ、入力インターフェース、出力インターフェースは、バスシステムを介して接続される。メモリは、命令を記憶するためのものであり、プロセッサは、メモリに記憶された命令を実行して、第３の態様または第３の態様の可能な実施態様のいずれかにおける方法を実行するため、または第４の態様の可能な実施態様のいずれかにおける方法を実行するために使用される。
【００４０】
第９の態様は、上記の第１から第４の態様または第１から第４の態様の可能な実施例のいずれかを実行するための方法を実行するためのコンピュータソフトウェア命令を記憶するためのコンピュータ記憶媒体を提供し、上記の態様を実行するように設計されたプログラムを含む。
【００４１】
第１０の態様は、命令を備えるコンピュータプログラム製品を提供し、コンピュータ上で実行されると、コンピュータに、第１から第４の態様または第１から第４の態様の可能な実施における方法を実行させる。
【図面の簡単な説明】
【００４２】
【図１】本願の実施例の応用シーンの模式図である。
【図２】本願の実施例における情報伝送方法のフローチャートである。
【図３】本願の他の実施例における情報伝送方法のフローチャートである。
【図４】本願の他の実施例における情報伝送方法のフローチャートである。
【図５】本願の他の実施例における情報伝送方法のフローチャートである。
【図６】本願の実施例におけるネットワークデバイスのブロック図である。
【図７】本願の他の実施例におけるネットワークデバイスのブロック図である。
【図８】本願の実施例における端末デバイスのブロック図である。
【図９】本願の他の実施例における端末デバイスのブロック図である。
【図１０】本願の他の実施例におけるネットワークデバイスのブロック図である。
【図１１】本願の他の実施例における端末デバイスのブロック図である。
【発明を実施するための形態】
【００４３】
以下、本願の実施例における技術的手段について、本願の実施例における図面を参照して説明する。
【００４４】
本発明の実施例による技術的解決策は、ロングタームエボリューション( Ｌｏｎｇ  Ｔｅｒｍ  Ｅｖｏｌｕｔｉｏｎ、ＬＴＥ )システム、ＬＴＥ周波数分割複信( Ｆｒｅｑｕｅｎｃｙ Ｄｉｖｉｓｉｏｎ Ｄｕｐｌｅｘ、ＦＤＤ )システム、ＬＴＥ時分割複信( Ｔｉｍｅ Ｄｉｖｉｓｉｏｎ Ｄｕｐｌｅｘ、ＴＤＤ )、又は将来の５Ｇシステムなどの様々な通信システムに適用されてもよい。
【００４５】
図１は、本願の実施例が適用される無線通信システム１００を示す。この無線通信システム１００は、ネットワークデバイス１１０を含み得る。ネットワークデバイス１００は、端末デバイスと通信する装置であってもよい。ネットワークデバイス１００は、特定の地理的エリアに通信カバレッジを提供し得、カバレッジエリア内に配置されたＵＥなどの端末デバイスと通信し得る。任意選択で、ネットワークデバイス１００は、ＬＴＥシステムにおける発展型基地局( Ｅｖｏｌｕｔｉｏｎａｌ Ｎｏｄｅ Ｂ、ｅＮＢ、又はｅＮｏｄｅＢ )であってもよく、又は、ネットワークデバイスは、中継局、アクセスポイント、車載装置、ウェアラブル装置、将来の５Ｇネットワークにおけるネットワーク側装置、又は、将来の進化型公共陸上モバイルネットワーク( Ｐｕｂｌｉｃ Ｌａｎｄ Ｍｏｂｉｌｅ Ｎｅｔｗｏｒｋ、ＰＬＭＮ )におけるネットワークデバイス等であってもよい。
【００４６】
任意選択で、ネットワークデバイス１１０は、例えば、ポリシコントロール機能( Ｐｏｌｉｃｙ Ｃｏｎｔｒｏｌ Ｆｕｎｃｔｉｏｎ、ＰＣＦ )、またはアクセスおよびモビリティ管理機能( Ａｃｃｅｓｓ ａｎｄ Ｍｏｂｉｌｉｔｙ Ｍａｎａｇｅｍｅｎｔ Ｆｕｎｃｔｉｏｎ、ＡＭＦ )などの５Ｇコアネットワークデバイスであり得る。
【００４７】
この無線通信システム１００は、ネットワークデバイス１１０のカバレージ内に配置された少なくとも１つの端末デバイス１２０をさらに含む。端末デバイス１２０は、移動型であってもよいし、固定型であってもよい。任意選択で、端末デバイス１２０は、アクセス端末、ユーザ機器( Ｕｓｅｒ Ｅｑｕｉｐｍｅｎｔ、ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ、ＳＩＰ )電話、ワイヤレスローカルループ( Ｗｉｒｅｌｅｓｓ Ｌｏｃａｌ Ｌｏｏｐ、ＷＬＬ )局、パーソナルデジタル処理( Ｐｅｒｓｏｎａｌ Ｄｉｇｉｔａｌ Ａｓｓｉｓｔａｎｔ、ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００４８】
図２は、本願の実施例に係る情報伝送方法２００の概略フローチャートであり、この方法２００は、図１に示す通信システム１００におけるネットワークデバイスによって実行されてもよく、例えば、このネットワークデバイスは、図２に示すように、ＰＣＦエンティティであってもよく、この方法２００は、以下のものを含んでもよく、
Ｓ２１０において、ネットワークデバイスが現在の時間情報及び／又は端末デバイスの位置する位置情報に基づいて、前記端末デバイスに対応する目標ポリシーを決定し、
Ｓ２２０において、前記ネットワークデバイスが前記端末デバイスに前記目標ポリシーを送信する。
【００４９】
任意選択で、本願の実施例において、前記目標ポリシーは、端末デバイスがネットワーク選択又はプロトコルデータユニットＰＤＵセッションの確立を行うパラメータを示し、即ち、端末デバイスは、目標ポリシーに従ってネットワーク選択又はＰＤＵセッションの確立を行うことができ、又は、目標ポリシーは、端末デバイスの他の動作のためのポリシーであってもよく、本発明の実施例はこれに限定されない。
【００５０】
具体的には、ネットワークデバイスは、選択されるポリシーから目標ポリシーを決定することができ、例えば、選択されるポリシーは、複数の規則を含むことができ、ネットワークデバイスは、現在の時間及び端末デバイスが位置する位置のうちの少なくとも１つに応じて、端末デバイスに対応する目標ポリシーを構成する少なくとも１つの規則を決定することができ、ネットワークデバイスは、決定された目標ポリシーを端末デバイスに送信することができ、それにより、端末デバイスは、目標ポリシーに従ってネットワーク選択又はＰＤＵセッションを確立することができる。
【００５１】
このように、本発明の実施例に係る情報伝送方法は、ネットワークデバイスが、現在の時間及び端末デバイスが存在する位置の少なくとも一方に基づいて、端末デバイスが使用する目標ポリシーを決定することができるので、全てのポリシーを端末デバイスに送信する必要がなく、シグナリングオーバーヘッドを低減する上で有利である。
【００５２】
任意選択で、本願の実施例において、前記端末デバイスの位置する位置情報とポリシーとが第１の対応関係を有し、又は、時間情報とポリシーとが第２の対応関係を有し、又は、時間情報及び端末デバイスの位置する位置情報とポリシーとが第３の対応関係を有する。
【００５３】
任意選択で、この対応関係は、テーブル形式やツリー形式などでもよく、予めネットワークデバイスに記憶させておいてもよいし、ネットワークデバイスが対応関係を調整してもよい。
【００５４】
１つの具体的な実施例において、Ｓ２１０は、
前記ネットワークデバイスが現在の時間情報及び／又は端末デバイスの位置する位置情報及び対応関係に基づいて、前記端末デバイスに対応する目標ポリシーを決定することを含む。
【００５５】
ここで、前記対応関係は、前記の第１の対応関係、第２の対応関係又は第３の対応関係であってもよい。
【００５６】
例えば、選択されるポリシーが１０個の規則を含む場合、規則１ 〜規則１０と表記し、前記ネットワークデバイスには位置情報と規則との第１の対応関係が予め格納されてもよく、例えば、前記第１の対応関係は表１に示すようになっていてもよい。
【表１】
2021510044.tif 000003
【００５７】
なお、表１の各位置が一定の位置範囲を示すことができ、ネットワークデバイスは、前記端末デバイスが現在位置している位置がどの位置範囲に属するかに応じて、対応する規則を決定し、決定した規則からなるポリシーを端末デバイスに送信することができる。例えば、ネットワークデバイスは、現在、端末デバイスが位置１で示される位置範囲内にあると判断した場合、目標ポリシーが規則１〜規則３を含むと判断し、端末デバイスに上記１０個の規則を送信することなく、規則１〜規則３のみを端末デバイスに送信するようにしてもよい。
【００５８】
また、例えば、前記ネットワークデバイスに、時間情報と規則との第２の対応関係が予め記憶されていてもよく、例えば、前記第２の対応関係は、表２に示すようになっていてもよい。
【表２】
2021510044.tif 000004
【００５９】
なお、表２の各時間帯は、一定の時間範囲を示すことができ、ネットワークデバイスは、現在時間がどの時間帯に属するかに応じて、対応する規則を決定し、決定した規則からなるポリシーを端末デバイスに送信することができる。例えば、ネットワークデバイスは、現在時間が時間帯１に属すると判断した場合、目標ポリシーが規則１〜規則３を含むと判断し、端末デバイスに上記１０個の規則を送信することなく、規則１〜規則３のみを端末デバイスに送信するようにしてもよい。
【００６０】
同様に、ネットワークデバイスが時間情報及び位置情報と規則との対応関係を予め保持してもよく、ネットワークデバイスは、現在時間及び端末デバイスが存在する位置から対応する規則を特定し、特定した規則からなるポリシーを端末デバイスに送信することができ、全ての規則を端末デバイスに送信する必要がないので、シグナリングオーバーヘッドの低減に有利である。
【００６１】
なお、本発明の実施例において、前記目標ポリシーは、ある時間範囲及び/又はあるエリアの範囲内の目標ポリシーであってもよく、現在時間が上記の時間範囲内にある場合、又は、現在位置が上記のエリア範囲内にある場合、端末デバイスは依然として目標ポリシーを使用してもよく、現在時間が目標ポリシーに対応する期間内にない場合、又は現在位置が目標ポリシーに対応するエリア範囲内にない場合、前記ネットワークデバイスが端末デバイスに対応するポリシーの調整又は更新をするようにトリガしてもよい。
【００６２】
任意選択で、前記目標ポリシーが第１の時間範囲に対応し、前記方法は、さらに、
現在時間が前記第１の時間範囲にない場合、前記ネットワークデバイスは、現在の時間情報に基づいて、更新された目標ポリシーを決定し、前記更新された目標ポリシーを前記端末デバイスに送信することを含む。
【００６３】
すなわち、ネットワークデバイスは、端末デバイスが構成する目標ポリシーを経時変化に応じて調整又は更新できる。
【００６４】
任意選択で、前記目標ポリシーが第１の位置範囲に対応し、前記方法２０は、さらに、
前記端末デバイスの現在位置する位置が前記第１の位置範囲にない場合、前記ネットワークデバイスは、前記端末デバイスの現在位置する位置情報に基づいて、更新された目標ポリシーを決定し、前記更新された目標ポリシーを前記端末デバイスに送信することを含む。
【００６５】
すなわち、ネットワークデバイスは、端末デバイスの位置の変化に応じて、端末デバイスが構成する目標ポリシーを調整又は更新することができる。
【００６６】
任意選択で、いくつかの実施例において、前記ネットワークデバイスがＰＣＦであり、前記方法は、さらに、
前記ネットワークデバイスがアクセスとモビリティ管理機能ＡＭＦから前記端末デバイスの位置情報を取得することを含む。
【００６７】
すなわち、ＡＭＦは、ＰＣＦに端末デバイスの位置情報を通知し、ネットワークデバイスは、端末デバイスの位置情報が変更された場合、変更後の位置情報に基づいてポリシー更新が必要であると判断し、変更後の位置情報に基づいて更新後の目標ポリシーを決定し、端末デバイスに送信するようにしてもよい。
【００６８】
任意選択で、本願の実施例における前記位置情報は、
第３世代パートナーシッププロジェクト３ＧＰＰに定義されるレポート存在エリア（Ｐｒｅｓｅｎｃｅ Ｒｅｐｏｒｔｉｎｇ Ａｒｅａ、ＰＲＡ）、少なくとも１つのトラッキングエリアアイデンティティ（Ｔｒａｃｉｎｇ Ａｒｅａ Ｉｄｅｎｔｉｔｙ、ＴＡＩ）、少なくとも１つのレジストリエリアアイデンティティ(Ｒｅｇｉｓｔｒａｔｉｏｎ Ａｒｅａ Ｉｄｅｎｔｉｔｙ、ＲＡＩ)、グローバルポジショニングシステム(Ｇｌｏｂａｌ Ｐｏｓｉｔｉｏｎｉｎｇ Ｓｙｓｔｅｍ、ＧＰＳ)測位の地理位置情報のうちの少なくとも１つによって示す。
【００６９】
任意選択で、本願の実施例において、端末デバイスの位置を示すために使用され得る他の情報で示すことも可能であり、本願の実施例はこれに限定されない。
【００７０】
任意選択で、本願の実施例における前記目標ポリシーは、無線ローカルエリアネットワーク選択ポリシー（Ｗｉｒｅｌｅｓｓ Ｌｏｃａｌ Ａｒｅａ Ｎｅｔｗｏｒｋ Ｓｅｌｅｃｔｉｏｎ Ｐｏｌｉｃｙ、ＷＬＡＮＳＰ）及び／又は端末デバイス経路選択ポリシー（ＵＥ Ｒｏｕｔｅ Ｓｅｌｅｃｔｉｏｎ Ｐｏｌｉｃｙ、ＵＲＳＰ）を含む。例えば、前記目標ポリシーは、前記ＷＬＡＮＳＰの少なくとも１つの規則及び／又は前記ＵＲＳＰの少なくとも１つの規則を含む。
【００７１】
図３は、本発明の他の実施例による情報伝送方法であり、図３に示すように、図１に示す通信システム１００においてネットワークデバイスにより実行されてもよく、方法３００は、以下のものを含んでもよい。
【００７２】
Ｓ３１０において、ネットワークデバイスが複数のポリシーを決定し、前記各ポリシーが特定の時間情報及び／又は特定の位置情報に対応し、
Ｓ３２０において、前記ネットワークデバイスが前記端末デバイスに前記複数のポリシーを送信する。
【００７３】
この実施例では、ネットワークデバイスは、複数のポリシーを決定してもよく、各ポリシーは、それぞれの時間情報及び/又は特定の位置情報に対応してもよく、すなわち、ネットワークデバイスは、異なる時間帯及び/又は異なる位置に基づいて異なるポリシーを決定し、次いで、決定された複数のポリシーを端末デバイスに送信してもよく、これにより、端末デバイスは、現在の時間情報及び/又は現在位置する位置情報に基づいて、どのポリシーを使用するかを決定する。さらに、端末デバイスは、この目標ポリシーに応じてネットワーク選択し又はプロトコルデータ単位ＰＤＵセッションを確立できる。
【００７４】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【００７５】
任意選択で、いくつかの実施例において、前記各ポリシーは、無線ローカルエリアネットワーク選択ポリシーＷＬＡＮＳＰ及び／又は端末デバイス経路選択ポリシーＵＲＳＰを含む。
【００７６】
任意選択で、いくつかの実施例において、前記各ポリシーは、前記ＷＬＡＮＳＰ内の少なくとも１つの規則及び／又は前記ＵＲＳＰ内の少なくとも１つの規則を含む。
【００７７】
以上、図２及び図３を参照して、ネットワークデバイスの観点から本発明の一実施例に係る情報伝送方法を説明したが、以下、図４〜図５を参照して本発明の他の実施例に係る情報伝送方法を端末デバイスの観点から説明する。なお、端末デバイス側の説明とネットワークデバイス側の説明は、互いに対応しており、同様の説明は省略する。
【００７８】
図４は本発明の他の実施例による情報伝送方法の概略的なフローチャートであり、図１に示す通信システム１００において端末デバイスにより実行され、図４に示すように、方法４００は、以下のものを含み、
Ｓ４１０において、端末デバイスがネットワークデバイスにより送信された目標ポリシーを受信し、前記目標ポリシーは、前記ネットワークデバイスが現在の時間情報及び／又は前記端末デバイスの位置する位置情報に基づいて決定するものであり、
Ｓ４２０において、前記端末デバイスが前記目標ポリシーを現在使用されるポリシーとして決定する。
【００７９】
ここで、前記目標ポリシーは、前記端末デバイスがネットワーク選択を行い、又はプロトコルデータユニットＰＤＵセッションを確立するパラメータを示し、又は他のパラメータを指示するために使用されてもよく、これにより、端末デバイスは目標ポリシーに従ってネットワーク選択又はＰＤＵセッション確立などの動作を行うことができる。
【００８０】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【００８１】
任意選択で、いくつかの実施例において、前記目標ポリシーは、無線ローカルエリアネットワーク選択ポリシーＷＬＡＮＳＰ及び／又は端末デバイス経路選択ポリシーＵＲＳＰを含む。
【００８２】
任意選択で、いくつかの実施例において、前記目標ポリシーは、前記ＷＬＡＮＳＰ内の少なくとも１つの規則及び／又は前記ＵＲＳＰ内の少なくとも１つの規則を含む。
【００８３】
任意選択で、いくつかの実施例において、前記方法４００は、さらに、
前記端末デバイスの位置情報が変更された場合、前記端末デバイスが前記ネットワークデバイスにより送信された、更新された目標ポリシーを受信することを含み、前記更新された目標ポリシーが前記端末デバイスの変更された位置情報に基づいて決定するものである。
【００８４】
図５は、本発明の他の実施例に係る情報伝送方法の概略的なフローチャートであり、図１に示す通信システム１００において端末デバイスにより実行され、図５に示すように、方法５００は、以下のものを含み、
Ｓ５１０において、端末デバイスがネットワークデバイスにより送信された複数のポリシーを受信し、前記各ポリシーが特定の時間情報及び／又は特定の位置情報に対応し、
Ｓ５２０において、前記端末デバイスが現在の時間情報及び／又は前記端末デバイスの位置する位置情報に基づいて、前記複数のポリシーから目標ポリシーを決定する。
【００８５】
任意選択で、本願の実施例において、前記端末デバイスは、特定の周期、又は特定の条件に応じて、前記複数のポリシーを切り替え、この場合、前記ネットワークデバイスは端末デバイスのポリシーをリアルタイムに更新する必要がない。
【００８６】
任意選択で、いくつかの実施例において、前記方法５００は、さらに、
前記端末デバイスが前記目標ポリシーに基づいてネットワーク選択を行い、又はＰＤＵセッションを確立することを含む。
【００８７】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【００８８】
任意選択で、いくつかの実施例において、前記各ポリシーは、無線ローカルエリアネットワーク選択ポリシーＷＬＡＮＳＰ及び／又は端末デバイス経路選択ポリシーＵＲＳＰを含む。
【００８９】
任意選択で、いくつかの実施例において、前記各ポリシーは、前記ＷＬＡＮＳＰ内の少なくとも１つの規則及び／又は前記ＵＲＳＰ内の少なくとも１つの規則を含む。
【００９０】
任意選択で、いくつかの実施例において、前記複数のポリシーには現在の時間情報及び／又は位置情報に対するポリシーが含まれない場合、前記方法５００は、さらに、
前記端末デバイスがデフォルトポリシーを前記目標ポリシーとして決定すること、又は、
前記端末デバイスが前記ネットワークデバイスに要求メッセージを送信することを含み、前記要求メッセージが、現在の時間情報及び／又は位置情報に対するポリシーを取得するように要求する。
【００９１】
以上、本発明の開示の方法の実施例が図２〜図５に関連して上述され、本発明の開示のデバイスの実施例が図６〜図１１に関連して以下に詳細に説明されるが、デバイスの実施例と方法の実施例とは互いに対応し、同様の説明は方法の実施例を参照し得る。
【００９２】
図６は本願の実施例におけるネットワークデバイスのブロック図である。図６に示すネットワークデバイス６００は、決定モジュール６１０及び通信モジュール６２０を含み、
決定モジュール６１０は、現在の時間情報及び／又は端末デバイスの位置する位置情報に基づいて、前記端末デバイスに対応する目標ポリシーを決定するように構成され、
通信モジュール６２０は、前記端末デバイスに前記目標ポリシーを送信するように構成される。
【００９３】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【００９４】
任意選択で、いくつかの実施例において、前記目標ポリシーは、無線ローカルエリアネットワーク選択ポリシーＷＬＡＮＳＰ及び／又は端末デバイス経路選択ポリシーＵＲＳＰを含む。
【００９５】
任意選択で、いくつかの実施例において、前記目標ポリシーは、前記ＷＬＡＮＳＰ内の少なくとも１つの規則及び／又は前記ＵＲＳＰ内の少なくとも１つの規則を含む。
【００９６】
任意選択で、いくつかの実施例において、前記ネットワークデバイスがポリシー制御機能ＰＣＦエンティティであり、前記ネットワークデバイス６００は、さらに、取得モジュールを含み、
取得モジュールは、アクセスとモビリティ管理機能ＡＭＦから前記端末デバイスの位置情報を取得するように構成される。
【００９７】
任意選択で、いくつかの実施例において、前記決定モジュール６１０は、さらに、
前記端末デバイスの位置情報が変更される場合、前記ネットワークデバイスは、前記端末デバイスの変更された位置情報に基づいて、更新された目標ポリシーを決定するように構成され、
前記通信モジュール６２０は、さらに、
前記更新された目標ポリシーを前記端末デバイスに送信するように構成される。
【００９８】
任意選択で、いくつかの実施例において、前記目標ポリシーは、前記端末デバイスがネットワーク選択を行い、又はプロトコルデータユニットＰＤＵセッションを確立するパラメータを示す。
【００９９】
任意選択で、いくつかの実施例において、前記決定モジュール６１０は、具体的に、
現在の時間情報及び／又は端末デバイスの位置する位置情報及び対応関係に基づいて、前記端末デバイスに対応する目標ポリシーを決定するように構成される。
【０１００】
任意選択で、いくつかの実施例において、前記対応関係は、端末デバイスの位置する位置情報とポリシーとの第１の対応関係、又は、時間情報とポリシーとの第２の対応関係、又は、時間情報及び端末デバイスの位置する位置情報とポリシーとの第３の対応関係である。
【０１０１】
具体的には、該ネットワークデバイス６００は、上記方法２００で説明されたネットワークデバイスに対応してもよく(例えば、構成されてもよく、又はそれ自体であってもよい)、且つ該ネットワークデバイス６００における各モジュール又はユニットは、それぞれ、上記方法２００でネットワークデバイスにより実行される各動作又は処理手順を実行するために使用され、ここで、重複説明を避けるために、その詳細な説明は省略する。
【０１０２】
図７は本願の実施例におけるネットワークデバイスのブロック図である。図７に示すネットワークデバイス７００は、決定モジュール７１０及び通信モジュール７２０を含み、
決定モジュール７１０は、複数のポリシーを決定するように構成され、前記各ポリシーが特定の時間情報及び／又は特定の位置情報に対応し、
通信モジュール７２０は、前記端末デバイスに前記複数のポリシーを送信するように構成される。
【０１０３】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【０１０４】
任意選択で、いくつかの実施例において、前記各ポリシーは、無線ローカルエリアネットワーク選択ポリシーＷＬＡＮＳＰ及び／又は端末デバイス経路選択ポリシーＵＲＳＰを含む。
【０１０５】
任意選択で、いくつかの実施例において、前記各ポリシーは、前記ＷＬＡＮＳＰ内の少なくとも１つの規則及び／又は前記ＵＲＳＰ内の少なくとも１つの規則を含む。
【０１０６】
任意選択で、いくつかの実施例において、前記各ポリシーは、前記端末デバイスがネットワーク選択を行い、又はプロトコルデータユニットＰＤＵセッションを確立するパラメータを示す。
【０１０７】
具体的には、このネットワークデバイス７００は、上記方法３００で説明されたネットワークデバイスに対応(例えば、構成又はそれ自体で)することができ、且つ該ネットワークデバイス７００における各モジュール又はユニットは、それぞれ、上記方法３００でネットワークデバイスにより実行される各動作又は処理手順を実行するために使用されるが、ここでは、重複説明を避けるために、その詳細な説明は省略する。
【０１０８】
図８は本願の実施例における端末デバイスのブロック図である。図８に示す端末デバイス８００は、通信モジュール８１０と決定モジュール８２０を含み、
通信モジュール８１０は、ネットワークデバイスにより送信された目標ポリシーを受信するように構成され、前記目標ポリシーは、前記ネットワークデバイスが現在の時間情報及び／又は前記端末デバイスの位置する位置情報に基づいて決定するものであり、
決定モジュール８２０は、前記目標ポリシーを現在使用されるポリシーとして決定するように構成される。
【０１０９】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【０１１０】
任意選択で、いくつかの実施例において、前記目標ポリシーは、無線ローカルエリアネットワーク選択ポリシーＷＬＡＮＳＰ及び／又は端末デバイス経路選択ポリシーＵＲＳＰを含む。
【０１１１】
任意選択で、いくつかの実施例において、前記目標ポリシーは、前記ＷＬＡＮＳＰ内の少なくとも１つの規則及び／又は前記ＵＲＳＰ内の少なくとも１つの規則を含む。
【０１１２】
任意選択で、いくつかの実施例において、前記端末デバイス８００は、さらに、実行モジュールを含み、
実行モジュールは、前記目標ポリシーに基づいてネットワーク選択を行い又はＰＤＵセッションを確立するように構成される。
【０１１３】
任意選択で、いくつかの実施例において、前記通信モジュール８１０は、さらに、
前記端末デバイスの位置情報が変更された場合、前記ネットワークデバイスにより送信された更新された目標ポリシーを受信するように構成され、前記更新された目標ポリシーが前記端末デバイスの変更された位置情報に基づいて決定するものである。
【０１１４】
具体的には、該端末デバイス８００は、上記方法４００で説明された端末デバイスに対応(例えば、構成又はそれ自体で)することができ、且つ、該端末デバイス８００における各モジュール又はユニットは、それぞれ、上記方法４００で端末デバイスが実行する各動作又は処理過程を実行するために使用されるが、ここで、重複説明を避けるために、その詳細な説明は省略する。
【０１１５】
図９は本願の実施例における端末デバイスのブロック図である。図９に示す端末デバイス９００は、通信モジュール９１０及び決定モジュール９２０を含み、
通信モジュール９１０は、ネットワークデバイスにより送信された複数のポリシーを受信するように構成され、前記各ポリシーが特定の時間情報及び／又は特定の位置情報に対応し、
決定モジュール９２０は、現在の時間情報及び／又は前記端末デバイスの位置する位置情報に基づいて、前記複数のポリシーから目標ポリシーを決定するように構成される。
【０１１６】
任意選択で、いくつかの実施例において、前記位置情報は、
第３世代パートナーシッププロジェクト３ＧＰＰに定義されるレポート存在エリアＰＲＡ、少なくとも１つのトラッキングエリアアイデンティティ、少なくとも１つのレジストリエリアアイデンティティ、グローバルポジショニングシステムＧＰＳ測位の地理位置情報のうちの少なくとも１つを含む。
【０１１７】
任意選択で、いくつかの実施例において、前記各ポリシーは、無線ローカルエリアネットワーク選択ポリシーＷＬＡＮＳＰ及び／又は端末デバイス経路選択ポリシーＵＲＳＰを含む。
【０１１８】
任意選択で、いくつかの実施例において、前記各ポリシーは、前記ＷＬＡＮＳＰ内の少なくとも１つの規則及び／又は前記ＵＲＳＰ内の少なくとも１つの規則を含む。
【０１１９】
任意選択で、いくつかの実施例において、前記複数のポリシーには現在の時間情報及び／又は位置情報に対するポリシーが含まれない場合、前記決定モジュール９２０は、さらに、
デフォルトポリシーを前記目標ポリシーとして決定し、又は、
前記通信モジュール９１０は、さらに、
前記ネットワークデバイスに要求メッセージを送信するように構成され、前記要求メッセージが、現在の時間情報及び／又は位置情報に対するポリシーを取得するように要求する。
【０１２０】
任意選択で、いくつかの実施例において、前記端末デバイス９００は、さらに、実行モジュールを含み
実行モジュールは、前記目標ポリシーに基づいてネットワーク選択を行い又はＰＤＵセッションを確立するように構成される。
【０１２１】
具体的には、該端末デバイス９００は、上記方法５００で説明した端末デバイスに対応(例えば、構成又はそれ自体で)することができ、且つ、該端末デバイス９００における各モジュール又はユニットは、それぞれ、上記方法５００で端末デバイスが実行する各動作又は処理手順を実行するために使用されるが、ここでは、重複説明を避けるため、その詳細な説明は省略する。
【０１２２】
図１０に示されるように、本願の実施例はネットワークデバイス１０００を提供し、このネットワークデバイス１０００は、図６のネットワークデバイス６００又は図７のネットワークデバイス７００であってもよく、図２に示される方法２００又は図３に示される方法３００のネットワークデバイスに対応するコンテンツを実行する。前記ネットワークデバイス１０００は、入力インターフェース１０１０、出力インターフェース１０２０、プロセッサ１０３０、及びメモリ１０４０を含み、前記入力インターフェース１０１０、出力インターフェース１０２０、プロセッサ１０３０、及びメモリ１０４０は、バスシステムによって接続されてもよい。メモリ１０４０は、プログラム、命令、又はコードを含むデータを記憶するために使用される。プロセッサ１０３０は、メモリ１０４０内のプログラム、命令、またはコードを実行して、入力インターフェース１０１０を制御して信号を受信し、出力インターフェース１０２０を制御して信号を送信し、前述の方法の実施例の動作を完了する。
【０１２３】
本発明の実施例において、前記プロセッサ１０３０は、中央処理装置( Ｃｅｎｔｒａｌ Ｐｒｏｃｅｓｓｉｎｇ Ｕｎｉｔ、略して「ＣＰＵ」)であってもよく、他の汎用プロセッサ、デジタル信号プロセッサ( ＤＳＰ )、特定用途向け集積回路( ＡＳＩＣ )、既製のプログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１２４】
このメモリ１０４０は、読み出し専用メモリおよびランダムアクセスメモリを含み得、プロセッサ１０３０に命令およびデータを提供し得る。メモリ１０４０の一部は、不揮発性ランダムアクセスメモリをさらに含み得る。例えば、メモリ１０４０は、デバイスタイプの情報をさらに記憶してもよい。
【０１２５】
実施において、方法の各内容は、プロセッサ１０３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、メモリ１０４０に配置され、プロセッサ１０３０は、メモリ１０４０内の情報を読み出し、そのハードウェアと組み合わせて、上記方法の内容を達成する。重複を避けるため、ここでは詳細な説明は省略する。
【０１２６】
一実施例では、図６のネットワークデバイス６００に含まれる決定モジュール６１０および取得モジュールは、図１０のプロセッサ１０３０によって実装されてもよく、図６のネットワークデバイス６００に含まれる通信モジュール６２０は、図１０の入力インターフェース１０１０および出力インターフェース１０２０によって実装されてもよい。
【０１２７】
他の実装例では、図７のネットワークデバイス７００に含まれる決定モジュール７１０は、図１０のプロセッサ１０３０によって実装されてもよく、図７のネットワークデバイス７００に含まれる通信モジュール７２０は、図１０の入力インターフェース１０１０および出力インターフェース１０２０によって実装されてもよい。
【０１２８】
図１１に示されるように、本願の実施例は端末デバイス１１００を提供し、この端末デバイス１１００は、図８に示される端末デバイス８００又は図９に示される端末デバイス９００であってもよく、図４に示される方法４００又は図５に示される方法５００において端末デバイスに対応するコンテンツを実行するために使用される。端末デバイス１１００は、入力インターフェース１１１０、出力インターフェース１１２０、プロセッサ１１３０、及びメモリ１１４０を含み、入力インターフェース１１１０、出力インターフェース１１２０、プロセッサ１１３０、及びメモリ１１４０は、バスシステムによって接続されてもよい。メモリ１１４０は、プログラム、命令、またはコードを含むメモリを記憶するために使用される。プロセッサ１１３０は、メモリ１１４０内のプログラム、命令、またはコードを実行して、入力インターフェース１１１０を制御して信号を受信し、出力インターフェース１１２０を制御して信号を送信し、前述の方法の実施例の動作を完了する。
【０１２９】
本発明の実施例において、プロセッサ１１３０は、中央処理装置( Ｃｅｎｔｒａｌ Ｐｒｏｃｅｓｓｉｎｇ Ｕｎｉｔ、単に「ＣＰＵ」ともいう)であってもよく、他の汎用プロセッサ、デジタル信号プロセッサ( ＤＳＰ )、特定用途向け集積回路( ＡＳＩＣ )、既製プログラマブルゲートアレイ( ＦＰＧＡ )又は他のプログラマブル論理デバイス、ディスクリートゲート又はトランジスタロジック、ディスクリートハードウェアコンポーネント等であってもよいことが理解されるべきである。汎用プロセッサはマイクロプロセッサであってもよく、プロセッサは任意の従来のプロセッサなどであってもよい。
【０１３０】
メモリ１１４０は、読み出し専用メモリおよびランダムアクセスメモリを含み得、プロセッサ１１３０に命令およびデータを提供し得る。メモリ１１４０の一部は、不揮発性ランダムアクセスメモリをさらに含み得る。例えば、メモリ１１４０は、デバイスタイプの情報をさらに記憶することができる。
【０１３１】
実施の過程において、上述した方法の各内容は、プロセッサ１１３０におけるハードウェアの集積論理回路またはソフトウェア形態の命令によって実現されてもよい。本願の実施例に関連して開示される方法の内容は、ハードウェアプロセッサ実行として直接的に、またはプロセッサ内のハードウェアおよびソフトウェアモジュールの組み合わせで実行を完了するように具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。記憶媒体は、プロセッサ１１３０がハードウェアとともに上記方法の内容を実行するために情報を読み出すメモリ１１４０内に配置される。重複を避けるため、ここでは詳細な説明は省略する。
【０１３２】
１つの具体的な実施例において、図８の端末デバイス８００に含まれた通信モジュール８１０は、図１１の入力インターフェース１１１０及び出力インターフェース１１２０を用いて実現され、図８の端末デバイス８００に含まれた決定モジュール８２０及び実行モジュールは、図１１のプロセッサ１１３０を用いて実現される。
【０１３３】
他の具体的な実施例において、図９の端末デバイス９００に含まれた通信モジュール９１０は、図１１の入力インターフェース１１１０及び出力インターフェース１１２０を用いて具現され、図９の端末デバイス９００に含まれた決定モジュール９２０及び実行モジュールは、図１１のプロセッサ１１３０を用いて具現される。
【０１３４】
本願の実施例は、複数のアプリケーションプログラムを含む携帯型電子機器によって実行されると、図２〜図５に示す実施例の方法を携帯型電子機器に実行させることが可能な命令を含む１又は複数のプログラムを記憶するコンピュータ可読記憶媒体をさらに提出する。
【０１３５】
本願の実施例は、コンピュータプログラムをさらに提供し、コンピュータプログラムは、コンピュータプログラムがコンピュータによって実行されると、コンピュータに、図２〜図５に示される実施例の方法の対応するフローを実行させる命令を含む。
【０１３６】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１３７】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１３８】
本明細書で提供するいくつかの実施例では、開示されたシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよいし、別のシステムに統合されてもよいし、又はいくつかの特徴が省略されてもよいし、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１３９】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４０】
また、本発明の各実施例における各機能部は、１つの処理部に集積されてもよいし、各部は、物理的に別個に存在してもよいし、２つ以上の部が１つの部に集積されてもよい。
【０１４１】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータ装置(パーソナルコンピュータ、サーバ、またはネットワークデバイスなどであってもよい)に本発明の様々な実施例による方法のステップの全てまたは一部を実行させるための複数の命令を含む１つの記憶媒体に記憶されたソフトウェア製品の形態で具現化されてもよい。なお、前記記憶媒体としては、Ｕ−ディスク、リムーバブルハードディスク、リードオンリーメモリ( ＲＯＭ、Ｒｅａｄ−Ｏｎｌｙ Ｍｅｍｏｒｙ )、ランダムアクセスメモリ( ＲＡＭ、Ｒａｎｄｏｍ Ａｃｃｅｓｓ Ｍｅｍｏｒｙ )、磁気ディスク、光ディスク等のプログラムコードを記憶できる種々の媒体を包含する。
【０１４２】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2021510044.tif 000005
【図２】
2021510044.tif 000006
【図３】
2021510044.tif 000007
【図４】
2021510044.tif 000008
【図５】
2021510044.tif 000009
【図６】
2021510044.tif 000010
【図７】
2021510044.tif 000011
【図８】
2021510044.tif 000012
【図９】
2021510044.tif 000013
【図１０】
2021510044.tif 000014
【図１１】
2021510044.tif 000015
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
ネットワークデバイスがアクセスとモビリティ管理機能ＡＭＦから端末デバイスの位置情報を取得することと、
ネットワークデバイスが端末デバイスの位置する位置情報に基づいて、前記端末デバイスに対応する目標ポリシーを決定することと、
前記ネットワークデバイスが前記端末デバイスに前記目標ポリシーを送信することとを含み、
前記位置情報は、
第３世代パートナーシッププロジェクト３ＧＰＰに定義されるレポート存在エリアＰＲＡ、少なくとも１つのトラッキングエリアアイデンティティＴＡＩ、少なくとも１つのレジストリエリアアイデンティティＲＡＩ、グローバルポジショニングシステムＧＰＳ測位の地理位置情報のうちの少なくとも１つを含む
ことを特徴とする情報伝送方法。
【請求項２】
前記目標ポリシーは、無線ローカルエリアネットワーク選択ポリシーＷＬＡＮＳＰ及び／又は端末デバイス経路選択ポリシーＵＲＳＰを含む
ことを特徴とする請求項１に記載の情報伝送方法。
【請求項３】
前記目標ポリシーは、前記ＷＬＡＮＳＰ内の少なくとも１つの規則及び／又は前記ＵＲＳＰ内の少なくとも１つの規則を含む
ことを特徴とする請求項２に記載の情報伝送方法。
【請求項４】
前記ネットワークデバイスがポリシー制御機能ＰＣＦエンティティである
ことを特徴とする請求項１〜３のいずれか１項に記載の情報伝送方法。
【請求項５】
前記方法は、さらに、
前記端末デバイスの位置情報が変更された場合、前記ネットワークデバイスが前記端末デバイスの変更された位置情報に基づいて、更新された目標ポリシーを決定し、前記更新された目標ポリシーを前記端末デバイスに送信することを含む
ことを特徴とする請求項１〜４のいずれか１項に記載の情報伝送方法。
【請求項６】
前記目標ポリシーは、前記端末デバイスがネットワーク選択を行い、又はプロトコルデータユニットＰＤＵセッションを確立するパラメータを示す
ことを特徴とする請求項１〜５のいずれか１項に記載の情報伝送方法。
【請求項７】
取得モジュールと、決定モジュールと、通信モジュールとを備えるネットワークデバイスであって、
前記取得モジュールは、アクセスとモビリティ管理機能ＡＭＦから前記端末デバイスの位置情報を取得するように構成され、
前記位置情報は、
第３世代パートナーシッププロジェクト３ＧＰＰに定義されるレポート存在エリアＰＲＡ、少なくとも１つのトラッキングエリアアイデンティティＴＡＩ、少なくとも１つのレジストリエリアアイデンティティＲＡＩ、グローバルポジショニングシステムＧＰＳ測位の地理位置情報のうちの少なくとも１つを含み、
前記決定モジュールは、端末デバイスの位置する位置情報に基づいて、端末デバイスに対応する目標ポリシーを決定するように構成され、
前記通信モジュールは、前記端末デバイスに前記目標ポリシーを送信するように構成される
ことを特徴とするネットワークデバイス。
【請求項８】
前記目標ポリシーは、無線ローカルエリアネットワーク選択ポリシーＷＬＡＮＳＰ及び／又は端末デバイス経路選択ポリシーＵＲＳＰを含む
ことを特徴とする請求項７に記載のネットワークデバイス。
【請求項９】
前記目標ポリシーは、前記ＷＬＡＮＳＰ内の少なくとも１つの規則及び／又は前記ＵＲＳＰ内の少なくとも１つの規則を含む
ことを特徴とする請求項８に記載のネットワークデバイス。
【請求項１０】
前記ネットワークデバイスがポリシー制御機能ＰＣＦエンティティである
ことを特徴とする請求項７〜９のいずれか１項に記載のネットワークデバイス。
【請求項１１】
前記決定モジュールは、さらに、
前記端末デバイスの位置情報が変更される場合、前記端末デバイスの変更された位置情報に基づいて、更新された目標ポリシーを決定するように構成され、
前記通信モジュールは、さらに、
前記更新された目標ポリシーを前記端末デバイスに送信するように構成される
ことを特徴とする請求項７〜１０のいずれか１項に記載のネットワークデバイス。
【請求項１２】
前記目標ポリシーは、前記端末デバイスがネットワーク選択を行い、又はプロトコルデータユニットＰＤＵセッションを確立するパラメータを示す
ことを特徴とする請求項７〜１１のいずれか１項に記載のネットワークデバイス。
【請求項１３】
ネットワークデバイスによって実行されると、ネットワークデバイスに請求項１〜６のいずれか１項に記載のステップを実行させるコンピュータ命令を記憶した
ことを特徴とする非一時的なコンピュータ可読記憶媒体。
【国際調査報告】
2021510044.tif 000016
2021510044.tif 000017
2021510044.tif 000018
2021510044.tif 000019
2021510044.tif 000020